(57)【特許請求の範囲】
【請求項１】
作業者が背負う原動機と、作業者が握る操作杆の先端に嵌着された伝動筒と、伝動筒と直角に取り付けられる中間ケースと、中間ケースに更に直角に取り付けられ、原動機の動力で駆動されるバリカン刈刃を有するバリカン刈刃装置とからなるバリカン式草刈機において、中間ケースはバリカン刈刃装置と共に伝動筒と直角な平面内で任意な角度を取ることができ、かつバリカン刈刃装置は中間ケースと直角な平面内で任意な角度を取ることができるものであるとともに、操作杆には、前グリップと後グリップとが取り付けられ、このうちの後グリップは、操作杆に対してその軸芯回り及び軸芯方向の任意な位置・角度を取ることができるものであるバリカン式草刈機。
【請求項２】
前グリップがリング状をしているものである請求項１に記載のバリカン式草刈機。
【発明の詳細な説明】
【０００１】
【発明の属する技術分野】
本発明は、バリカン刈刃を有するバリカン式草刈機に関するものである。
【０００２】
【従来の技術】
携行式の草刈機には、ロータリ式とバリカン式とがあり、それぞれ用途・目的に応じて使い分けられている。このうち、バリカン式は、刃盤が割れたり、物を跳ね飛ばしたりしないから、安全である上、刈り高さを均一にでき、しかも、一度に広い範囲の草を刈り取れる特徴を有している。バリカン式草刈機は、この長所を生かして田や畑の畦畔の草刈り等に用いられることがある。ところが、従来における畦畔の草刈り用に用いられるバリカン式草刈機においては、原動機をバリカン刈刃装置の上に載せており、このバリカン刈刃装置でその重量を支持するものであった。
【０００３】
【発明が解決しようとする課題】
このため、バリカン刈刃装置の重量が重くなり、作業者は、後ずさりしながらバリカン刈刃装置を引き擦るようにして移動させる作業形態をとっていた。従って、作業者の労力的負担は増すとともに、後向き姿勢で歩行することから、危険でもあった。本発明は、このような課題を解決するものであり、バリカン式草刈機を前向き歩行で移動できるようにしたものである。
【０００４】
【課題を解決するための手段】
以上の課題の下、本発明は、請求項１に記した、作業者が背負う原動機と、作業者が握る操作杆の先端に嵌着された伝動筒と、伝動筒と直角に取り付けられる中間ケースと、中間ケースに更に直角に取り付けられ、原動機の動力で駆動されるバリカン刈刃を有するバリカン刈刃装置とからなるバリカン式草刈機において、中間ケースはバリカン刈刃装置と共に伝動筒と直角な平面内で任意な角度を取ることができ、かつバリカン刈刃装置は中間ケースと直角な平面内で任意な角度を取ることができるものであるとともに、操作杆には、前グリップと後グリップとが取り付けられ、このうちの後グリップは、操作杆に対してその軸芯回り及び軸芯方向の任意な位置・角度を取ることができるものであるバリカン式草刈機を提供したものである。
【０００５】
田や畑の畦畔には平坦地と傾斜地とがあるが、原動機を背負い式にしてバリカン刈刃装置の重量を軽減しただけでは、前向き歩行での草刈り作業はできない。これに加えて、操作杆に、位置や角度が調整可能な前グリップと後グリップが装着されるとともに、バリカン刈刃装置が広範に姿勢変更が可能になって始めて前向き歩行での草刈り作業が可能になるが、本発明が上記した手段をとることにより、このことが可能になった。
【０００６】
【発明の実施の形態】
以下、本発明の実施の形態を図面を参照して説明する。図１は本発明の一例を示すバリカン式草刈機の平面図、図２は側面図、図３は図２のＡ−Ａ断面図であるが、このバリカン式草刈機は、背負いフレーム１等に装架される原動機２と、原動機２とフレキシブル管３等で連結される伝動管兼基体である操作杆４と、操作杆４の先端（下端）に装設されるバリカン刈刃装置５とからなる。
【０００７】
図４は操作杆４とバリカン刈刃装置５の関係を示す一部断面平面図、図５は同じく一部断面側面図であるが、操作杆４の下端に伝動筒６を嵌着するとともに、伝動筒６に中間ケース７を直交して取り付け、中間ケース７にバリカン刈刃装置５を同じく直交して取り付けたものである。この場合、伝動筒６と中間ケース７とは、この両者を挿通する中間軸８によって所定の締付力で締め付けられており、この締付力を緩めて或いはこの締付力を上回る力で中間ケース７を回せば、中間ケース７は、伝動筒６に対して任意の角度に回動して固定できるようになっている。
【０００８】
一方、伝動筒６側の操作杆４には、ノブ９の締付けによって固定されるリング１０が嵌挿されており、リング１０と中間ケース７とは、リンク１１で連結されている。従って、ノブ９を緩めて中間ケース７を中間軸８の廻りにある角度回し（これに伴ってリング１０の位置はリンク１１を介して変わる）、その位置でノブ９を締め付ければ、操作杆４に対する中間ケース７の位相（向き）を変えることができる。
【０００９】
バリカン刈刃装置５は、中間ケース７に接合される刈刃ケース１２を有しているが、この刈刃ケース１２も、中間ケース７に対して任意の角度に変更できるようになっている。即ち、中間ケース７から刈刃ケース１２にかけては内部を駆動軸１３が挿通しており、刈刃ケース１２は、この駆動軸１３を中心に回動できるようになっているからである。
【００１０】
図６は中間ケース７と刈刃ケース１２の合わせ面の一部断面図であるが、この両者の合わせ面において、中間ケース７にはスプリング１４で付勢されるレバー付きピン１５が保持されており、刈刃ケース１２にはこのレバー付きピン１５が陥入可能な穴１６が多数形成されている。
【００１１】
そこで、レバー付きピン１５を穴１６から抜き、刈刃ケース１２を所望の角度回して再度レバー付きピン１５を穴１６に挿入すれば、刈刃ケース１２の向き（位相）を変えることができる。尚、以上の中間ケース７の回動面と刈刃ケース１２の回動面とは互いに直角になるように設定されている。従って、操作杆４に対するバリカン刈刃装置５の向きは、三次元のあらゆる範囲を取れることになる。換言すれば、バリカン刈刃装置５は、操作杆４に対してバリカン刈刃１９の刈刃方向及びこれと直角な方向の任意な位置・角度を取ることができるのである。
【００１２】
刈刃ケース１２からは上刃１７と下刃１８が互いに異なる方向に摺動運動させられるバリカン刈刃１９が突出している。バリカン刈刃１９を駆動する構造は、既に周知であるから、ここでの詳説は省略するが、要するに、操作杆４の中に挿通される伝動軸２０と刈刃ケース１２の中に収納されるクランク盤２１とを中間軸８や駆動軸１３に嵌装されるベベルギアやスパーギアからなるギア機構２２で連結したものであり、クランク盤２１と上刃１７、下刃１８をそれぞれクランクロッド２３、２４で連結したものである。
【００１３】
これにより、上刃１７と下刃１８とは、互いに異なる方向に往復運動をさせられるものとなる。ところで、中間ケース７や刈刃ケース１２は、上記したように相対的にその向きを変えることがあるが、このような場合でも、上記したギア機構２２の動力伝達は阻害されないようになっている。
【００１４】
上刃１７と下刃１８とは、共に中央の基部の前後に三角形状をした刃部が形成されるものである。そして、上刃１７と下刃１８は、上刃１７の上に押え板２５が重ねられてボルト２６で締め付けられている。この場合、ボルト２６が挿通する個所の上刃１７と下刃１８には、そのストローク以上の長孔が形成されており、上刃１７と下刃１８の間でスリーブ２７に嵌合されている。これにより、上刃１７と下刃１８の往復運動が許容されるとともに、ボルト２６を締めたときにも、その隙間が確保（調整）されるものとなる。
【００１５】
次に、以上の操作杆４には、後グリップ２８と前グリップ２９とが嵌装されている。後グリップ２８は、操作杆４の後方寄りに嵌着されるリング３０にノブ３１で締め付けられて固定される棒状をしているものであり、これには、原動機２の回転数を制御するアクセルレバー３２等が付設されている。この場合、ノブ３１を緩めると、リング３０は操作杆４の周囲を自由に回転できるとともに、操作杆４に対する後グリップ２８の角度も自由に変更できることになる。従って、後グリップ２８は、操作杆４に対してその軸芯回り及びこれと直角な方向の任意な位置・角度を取ることができるものとなる。加えて、操作杆４の軸方向の取付け位置も変更できることになる。
【００１６】
これに対して前グリップ２９は、操作杆４を取り囲むようなリング形をしており、一般には、操作杆４に固定的に取り付けられる。このような後グリップ２８及び前グリップ２９は、作業者の右手又は左手で握られて作業されるものであり、この場合の作業者が前向きに歩行するとき、歩行前側に存在するのを後グリップ２８、後側に存在するのを前グリップ２９と称している。
【００１７】
図７及び図８は、以上のバリカン式草刈機によって畦畔の草を刈る場合の説明図であるが、まず、平坦地の草刈りを行なうには、操作杆４に対するバリカン刈刃装置５の角度を上記した調整操作によってこれができる状態に合わせる。次いで、前向きの状態で、操作杆４の後グリップ２８と前グリップ２９をそれぞれ左手と右手で握り、これらが最適な位置・角度になって円滑に作業ができるかどうかを確認する。
【００１８】
もし、不具合があると、ノブ３１を緩めて後グリップ２８の位置・角度を最適なものに設定する。この場合、前グリップ２９は固定的に設けられているが、本例では、その形状はリング状をしているものであるから、握る位置を変えることで対応できる。
【００１９】
この状態で、バリカン刈刃装置５を引き擦りながら草刈り作業をすることになるが、このとき、作業者は、前向きで歩行できるから、安全性が確保されるとともに、草刈りに最適な場所を歩行できる。尚、以上は、操作杆４を身体の右側に通すものであるが、左側を通すものであってもよい（その場合は、後グリップ２８と前グリップ２９を握る手が逆になる）。
【００２０】
傾斜地（法面）の草刈りも同様である。即ち、バリカン刈刃装置５の位置・角度を調整した後、後グリップ２８と前グリップ２９を最も作業がし易い位置・角度に調整すれば、作業者は、前向きで歩行しながら法面の草刈りができる。
【００２１】
【発明の効果】
以上、本発明によると、前向きで歩行しながら畦畔等の草刈りができるものとなる。従って、疲れが少なくて安全であり、能率も上がる。更に、原動機を刈刃ケース等に装着していないので、重量も軽減できる。
【図面の簡単な説明】
【図１】本発明の一例を示すバリカン式草刈機の平面図である。
【図２】本発明の一例を示すバリカン式草刈機の側面図である。
【図３】図２のＡ−Ａ断面図である。
【図４】本発明の一例を示す操作杆とバリカン刈刃装置との関係を示す一部断面平面図である。
【図５】本発明の一例を示す操作杆とバリカン刈刃装置との関係を示す一部断面側面図である。
【図６】本発明の一例を示す中間ケースと刈刃ケースの接合面の一部断面図である。
【図７】本発明の一例を示すバリカン式草刈機の使用状態の説明図である。
【図８】本発明の一例を示すバリカン式草刈機の使用状態の説明図である。
【符号の説明】
２        原動機
４        操作杆
５        バリカン刈刃装置
６        伝動筒
７        中間ケース
２８      前グリップ
２９      後グリップ
【図１】
0004082538.tif 000002
【図２】
0004082538.tif 000003
【図３】
0004082538.tif 000004
【図４】
0004082538.tif 000005
【図５】
0004082538.tif 000006
【図６】
0004082538.tif 000007
【図７】
0004082538.tif 000008
【図８】
0004082538.tif 000009